(57)【要約】【課題】反射部材を筐体内部に保持するためのリング部材を灯体の開口縁部に設けても、照明効率を向上できる照明装置を提供する。【解決手段】照明装置１０は、光源１４および反射鏡１５を収容する筐体１３と、筐体１３を支持するとともに取付面１１に取付可能な支持部材１７とを有し、筐体１３が、光源１４および反射鏡１５を収容する略筒状の灯体２３と、灯体２３の端部に取り付けられることにより反射鏡１５を保持するリング部材２４とを備えているとともに、灯体２３の軸線２６に対して直交する回動軸２７を介して支持部材１７に支持される。この照明装置１０は、リング部材２４に設けられて灯体２３に近づく方向に連続する立上部２９を有し、回動軸２７が立上部２９に連結される。【選択図】図２
2007317556.tif 000002
【特許請求の範囲】
【請求項１】
光源および反射部材を収容する筐体と、
前記筐体を支持するとともに取付面に取付可能な支持部材とを有し、
前記筐体が、前記光源および前記反射部材を収容する略筒状の灯体と、前記灯体の端部に取り付けられることにより前記反射部材を保持するリング部材とを備えているとともに、前記灯体の軸線に対して直交する回動軸を介して前記支持部材に支持される照明装置であって、
前記リング部材に設けられて前記灯体に近づく方向に連続する立上部を有し、前記回動軸が前記立上部に連結されている照明装置。
【請求項２】
前記立上部が前記リング部材の周方向に沿って半周未満連続するとともに、前記立上部に対応して前記灯体に切欠部が設けられている請求項１に記載の照明装置。
【請求項３】
前記支持部材が、前記取付面に設けられた取付孔に嵌合可能な円環状の取付部材と、前記取付部材に対して同軸配置され、かつ、前記取付部材に対して回動可能な回動部材とを有し、
前記立上部が前記回動部材に設けられている請求項１および請求項２のうちのいずれかに記載の照明装置。
【請求項４】
前記支持部材が、前記回動軸を介して前記筐体の外側面における互いに離れた二箇所に連結される略Ｕ字状である請求項１および請求項２のうちのいずれかに記載の照明装置。
【発明の詳細な説明】
【技術分野】
【０００１】
本発明は、光源および反射部材を筐体に収容し、この筐体を支持するとともに取付面に取付可能な支持部材とを有する照明装置に関する。
【背景技術】
【０００２】
照明装置として、天井面に対して垂直な軸線を中心として回動可能であり、かつ、天井面に対して平行な線を中心として回動可能とすることにより、光軸を３次元方向に選択可能なユニバーサルダウンライトがある。
【０００３】
このような照明装置は、取付面である天井面に設けられた取付孔に支持部材が固定され、光源や反射部材を収容する灯体を支持部材に対して回動あるいは傾斜させることにより、光軸を３次元方向に調整して照明方向が選択される（例えば、特許文献１）。
【特許文献１】実公平７−１６２５５号公報  このような照明装置において、筐体を構成する灯体の開口縁部にリング部材を着脱可能に設けることにより、灯体内に反射部材を保持する構造が知られている。
【発明の開示】
【発明が解決しようとする課題】
【０００４】
ところで、リング部材は、灯体に対して着脱可能とするために、周方向に沿った幅寸法を一定以上確保する必要がある。溝やビス孔を形成する部位を確保する必要があるからである。
すなわち、リング部材は、外形寸法と内径寸法との差が大きく、筐体の開口面積に比較して光源からの光を照射する照射面積が小さく、照射効率を向上させる上での障害になっている。
【０００５】
本発明は、前述した課題を解決するためになされたもので、その目的は、反射部材を筐体内部に保持するためのリング部材を灯体の開口縁部に設けても、照明効率を向上できる照明装置を提供することにある。
【課題を解決するための手段】
【０００６】
本発明の照明装置は、光源および反射部材を収容する筐体と、前記筐体を支持するとともに取付面に取付可能な支持部材とを有し、前記筐体が、前記光源および前記反射部材を収容する略筒状の灯体と、前記灯体の端部に取り付けられることにより前記反射部材を保持するリング部材とを備えているとともに、前記灯体の軸線に対して直交する回動軸を介して前記支持部材に支持される照明装置であって、前記リング部材に設けられて前記灯体に近づく方向に連続する立上部を有し、前記回動軸が前記立上部に連結されていることを特徴とする。
【０００７】
リング部材の立上部に回動軸が連結されているため、支持部材に連結されたリング部材に対して灯体が着脱可能となる。従って、灯体の開口から反射部材を入れて灯体内に保持させるのではなく、リング部材の裏面に反射部材を配置してから、リング部材に対して灯体を固定すれば、筐体内に反射部材を保持できる。
この際、灯体およびリング部材が立上部を介して固定されていれば、灯体に対する着脱機構をリング部材に設けておく必要がなく、照明効果を向上させる上での障害を回避できる。
【０００８】
また、本発明は、前記立上部が前記リング部材の周方向に沿って半周未満連続するとともに、前記立上部に対応して前記灯体に切欠部が設けられていることを特徴とする。
【０００９】
立上部を、リング部材の周方向に沿って半周未満とすることで、リング部材の裏面に反射部材を配置する際に反射部材を径方向に沿って差し込みやすくなり、筐体内に反射部材を容易に保持できる
【００１０】
さらに、本発明は、前記支持部材が、前記取付面に設けられた取付孔に嵌合可能な円環状の取付部材と、前記取付部材に対して同軸配置され、かつ、前記取付部材に対して回動可能な回動部材とを有し、前記立上部が前記回動部材に設けられていることを特徴とする。
【００１１】
立上部を回動部材に設けることで、リング部材を立上部を介して回動部材に連結できる。よって、回動部材に連結されたリング部材に対して灯体が着脱可能となる。
従って、リング部材の裏面に反射部材を配置してから、リング部材に対して灯体を固定することで、筐体内に反射部材を保持できる。
【００１２】
また、本発明は、前記支持部材が、前記回動軸を介して前記筐体の外側面における互いに離れた二箇所に連結される略Ｕ字状であることを特徴とする。
【００１３】
天井板から垂下される腕部の先端に、略Ｕ字状の支持部材を介して筐体を首振り自在に取り付け、スポットライトに適用することが可能である。
【発明の効果】
【００１４】
本発明の照明装置によれば、支持部材に連結したリング部材に対して灯体を着脱自在とすることで、反射部材を筐体内部に保持するためのリング部材を灯体の開口縁部に設けても、照明効率を向上できるという効果を有する。
【発明を実施するための最良の形態】
【００１５】
以下、本発明の実施形態に係る照明装置について、図面を参照して説明する。
図１〜図３に示すように、第１実施形態に係る照明装置１０は、店舗、博物館や美術館の天井などの取付面１１に取付孔１２を形成し、この取付孔１２に設置されて、商品や展示品を照射するために取付面１１に対して垂直な軸線を中心として回動可能であり、かつ、取付面１１に対して平行な線を中心として回動可能とすることにより、光軸を３次元方向に選択可能なライト（ユニバーサルダウンライト）である。
【００１６】
照明装置１０は、光源１４および反射鏡（反射部材）１５を収容する筐体１３と、筐体１３を支持するとともに取付面１１に取付可能な支持部材１７と、筐体１３内において光源１４および光源１４から光を出射する開口１８間に設けられたグレアカットキャップ２０と、開口１８を横断するとともにグレアカットキャップ２０を支持する固定部材２２を有する。
【００１７】
この照明装置１０は、筐体１３が、光源１４および反射鏡１５を収容する略筒状の灯体２３と、灯体２３の端部に取り付けられることにより反射部材１５を保持するリング部材２４とを備えているとともに、灯体２３の軸線２６に対して直交する一対の回動軸（いわゆる、首振り軸）２７を介して支持部材１７に支持され、リング部材２４に設けられて灯体２３に近づく方向に連続する立上部２９を有し、回動軸２７が立上部２９に連結されている。
【００１８】
支持部材１７は、取付面１１の取付孔１２に嵌合可能な円環状の取付枠（取付部材）３０と、取付枠３０に対して同軸配置され、かつ、取付枠３０に対して回動可能な回動リング（回動部材）３１とを有する。
【００１９】
取付枠３０には、下端部の外周につば３３が設けられるとともに、外周に３個の取付ばね部材３４が設けられている。
取付孔１２に取付枠３０を差し込み、つば３３と取付ばね部材３４とで取付面１１を挟持することで、取付枠３０を取付孔１２に取り付ける。
【００２０】
回動リング３１には、リング部材２４の立上部２９が一対の回動軸２７を介してスイング自在に設けられている。
回動リング３１は、一対の回動軸２７を介して立上部２９の外側面における互いに離れた二箇所に連結される部材である。
【００２１】
立上部２９は、リング部材２４の周方向に沿って半周未満連続するように形成されている。両端部が一対の回動軸２７を介して回動リング３１に回動自在に取り付けられている。
さらに、立上部２９の両端部には、灯体に向けて延びる突片が形成されている。これらの突片に一対の支持ピン３５を介して灯体２３が連結されている。
回動軸２７は、一例としてビスが用いられ、ナットで立上部２９の両端部に締結される。
【００２２】
この立上部２９に対応させて灯体２３に切欠部３６が設けられることで、立上部２９に灯体２３が干渉することを防いでいる。
灯体２３の外周にセード３７を備えることで、光源１４から発光された光が外部に漏れることを防ぐ。
【００２３】
灯体２３には、光源（一例として、ＨＩＤランプあるいはハロゲンランプ）１４がソケット３８に取り付けられ、ソケット３８がソケット台３９に設けられ、ソケット台３９に遮断板４１が設けられている。
遮断板４１は、灯体２３を傾けた状態において水平に配置され、光源１４から発生する熱を遮断する板材である。
【００２４】
図４に示すように、リング部材２４の周方向に沿って半周未満連続する立上部２９と、リング部材２４のベース２４Ａとの間に、半周未満連続する差込溝４８が形成されている。
差込溝４８に、反射鏡１５のフランジ部４９が差し込まれることで、リング部材２４に反射鏡１５が取り付けられる。
【００２５】
具体的には、反射鏡１５は、略円錐台形の筒状に形成され、底部の外周に沿って環状のフランジ部４９が形成されている。
このフランジ部４９が、図５に示すように、差込溝４８に差し込まれることで、リング部材２４に反射鏡１５が取り付けられる。
この状態で、フランジ部４９は、ベース２４Ａの載置部５１に載置される。なお、載置部５１については後述する。
【００２６】
立上部２９を、リング部材２４の周方向に沿って半周未満とすることで、リング部材２４の裏面に反射鏡１５を配置する際に反射鏡１５を径方向に沿って差し込みやすくなり、筐体１３内、すなわちリング部材２４に反射鏡１５を容易に保持できる。
【００２７】
以上説明したように、リング部材２４の立上部２９に回動軸２７が連結されているため、支持部材１７に連結されたリング部材２４に対して灯体２３が着脱可能となる。
従って、灯体２３の開口から反射鏡１５を入れて灯体２３内に保持させるのではなく、リング部材２４の裏面に反射鏡１５を配置してから、リング部材２４に対して灯体２３を固定すれば、筐体１３内に反射鏡１５を保持できる。
【００２８】
この際、灯体２３およびリング部材２４が立上部２９を介して固定されているので、灯体２３に対する着脱機構をリング部材２４に設けておく必要がなく、照明効果を向上させる上での障害を回避できる。
【００２９】
より具体的には、立上部２９を回動リング３１に設けることで、リング部材２４を立上部２９を介して回動リングに連結できる。よって、回動リングに連結されたリング部材２４に対して灯体２３が着脱可能となる。
従って、リング部材２４の裏面に反射鏡１５を配置してから、リング部材２４に対して灯体２３を固定することで、筐体１３内に反射鏡１５を保持できる。
【００３０】
グレアカットキャップ２０は、光源１４の前方に配置して、主要な反射光を妨げることなく、直射光を抑制するものである。
図６〜図８に示すように、グレアカットキャップ２０は、固定部材２２を介して筐体１３（具体的には、リング部材２４）に取り付けられている。
【００３１】
固定部材２２は、両端部２２Ａ，２２Ｂがそれぞれリング部材２４（具体的には、ベース２４Ａ）における外側を向く面２４Ｂに設けられた一対の凹部４３，４４に係合するバーである。
一対の凹部４３，４４は、１８０度の間隔をおいて直線上に形成されている。
一対の凹部４３，４４のうち、一方の凹部４３に、固定部材２２の一端部２２Ａが係合され、他方の凹部４４に、固定部材２２の他端部２２Ｂが係合される。
【００３２】
図７に示すように、固定部材２２の一端部２２Ａに貫通孔５５が形成され、貫通孔５５にばね部材（付勢部材）４５が取り付けられている。
ばね部材４５は、略Ｃ字状に形成され、両端部４５Ａ，４５Ａが一対の係止溝５２にそれぞれ嵌め込まれている。
一対の係止溝５２は、載置部５１に形成されている。載置部５１は反射鏡１５のフランジ部４９が載置される部位である。一対の係止溝５２は、左右対称の部材である。
【００３３】
ばね部材４５の両端部４５Ａが係止溝５２にそれぞれ嵌め込まれた状態において、フランジ部４９を載置部５１に載置することで、フランジ部４９で係止溝５２を塞ぐ。
係止溝５２をフランジ部４９で塞ぐことにより、この係止溝５２から付勢部材４５が抜け出すことを防止する。
係止溝５２を反射鏡１５のフランジ部４９で塞ぐことで、係止溝５２からばね部材４５が抜け出すことを容易に防止できる。これにより、グレアカットキャップ２０の取り外し・取り付けを容易に行える。
【００３４】
ばね部材４５は、固定部材２２の一端部２２Ａが凹部４３に係合された状態で、リング部材２４のベース２４Ａから下方に離れる方向に弾性変形されている。よって、ばね部材４５が弾性変形の状態から復帰しようとする復帰力が、固定部材２２の一端部２２Ａにかかる。
これにより、固定部材２２の一端部２２Ａが、ばね部材４５の付勢力により反射鏡１５に近づく方向に付勢される。
【００３５】
ここで、図９に示すように、ばね部材４５は、両端部４５Ａ，４５Ａに対して貫通孔５５に貫通される部位４５Ｂが、グレアカットキャップ２０の光軸２０Ａ側に寄せられている。よって、ばね部材４５の付勢力が矢印Ｆの如く上向きに作用する。
これにより、固定部材２２の一端部２２Ａに形成された段部５６が凹部４３に係止するとともに、固定部材２２の他端部２２Ｂに形成された段部５７が凹部４４に係止する。
【００３６】
この際、段部５６の立辺５６Ａがベース２４Ａの内周に当接するとともに、段部５７の立辺５７Ａがベース２４Ａの内周に当接する。
これにより、固定部材２２が凹部４３，４４に係止された状態において、グレアカットキャップ２０の光軸２０Ａが所定位置（すなわち、光源１４の光軸と同軸上）に位置決めされる。
【００３７】
このように、凹部４３，４４に固定部材２２を係止することにより、グレアカットキャップ２０の光軸２０Ａを所定位置に位置決めすることが可能になり、グレアカットキャップ２０の取り付けが容易に行える。
【００３８】
以上説明したように、固定部材２２の一端部２２Ａをばね部材４５で反射鏡１５に近づく方向に付勢することで、固定部材２２の両端部２２Ａ，２２Ｂを凹部４３，４４にそれぞれ係合させることが可能である。
よって、固定部材２２の他端部２２Ｂには付勢部材を設ける必要がないので、他端部２２Ｂを小さな力で押し下げることが可能になる。
これにより、グレアカットキャップ２０の取り外し・取り付けを容易に行える。
【００３９】
なお、前記実施形態では、照明装置として、軸回転および傾斜可能なユニバーサルダウンライト１０を例示したが、本発明に係る照明装置は通常のダウンライト（照明方向鉛直方向に固定）や、天井面１１から垂下される腕部の先端にＵ字状の支持部材を介して支持されるスポットライトにも適用可能である。
すなわち、天井面１１から垂下される腕部の先端に、略Ｕ字状の支持部材を介して筐体１３を首振り自在に取り付けることで、照明装置をスポットライトに適用することが可能である。
【００４０】
また、前記実施形態では、グレアカットキャップ２０を備えた照明装置１０を例示したが、本発明はグレアカットキャップ２０を備えていない照明装置１０に適用することも可能である。
【００４１】
さらに、前記実施形態で例示した筐体１３、光源１４、反射鏡１５、灯体２３、リング部材２４、回転軸２７、立上部２９、取付枠３０および回動リング３１などの形状や構成は、これに限定するものではなく、適宜変更が可能である。
【産業上の利用可能性】
【００４２】
本発明は、光源および反射部材を筐体に収容し、この筐体を支持するとともに取付面に取付可能な支持部材とを有する照明装置への適用に好適である。
【図面の簡単な説明】
【００４３】
【図１】本発明に係る照明装置を示す斜視図である。
【図２】本発明に係る照明装置を示す分解斜視図である。
【図３】本発明に係る照明装置の要部を示す分解斜視図である。
【図４】本発明に係る照明装置のリング部材と反射鏡との関係を示す分解斜視図である。
【図５】本発明に係る照明装置のリング部材と反射鏡との関係を示す断面図である。
【図６】本発明に係る照明装置のグレアカットキャップおよび固定部材を示す斜視図である。
【図７】本発明に係る照明装置の固定部材の一端部側を示す斜視図である。
【図８】本発明に係る照明装置の固定部材の他端部側を示す斜視図である。
【図９】本発明に係る照明装置の固定部材の取付構造について説明した図である。
【符号の説明】
【００４４】
１０  照明装置
１１  取付面
１２  取付孔
１３  筐体
１４  光源
１５  反射鏡（反射部材）
１７  支持部材
２３  灯体
２４  リング部材
２６  軸線
２７  回動軸
２９  立上部
３０  取付枠（取付部材）
３１  回動リング（回動部材）
３６  切欠部
【図１】
2007317556.tif 000003
【図２】
2007317556.tif 000004
【図３】
2007317556.tif 000005
【図４】
2007317556.tif 000006
【図５】
2007317556.tif 000007
【図６】
2007317556.tif 000008
【図７】
2007317556.tif 000009
【図８】
2007317556.tif 000010
【図９】
2007317556.tif 000011